(57)【要約】      （修正有）【課題】外出時における首の日焼けと老化を防止する為のＵＶカットネックカバーに関し、特にずり落ち防止と首まわりと首の長さの個人差にも的確に対応できるＵＶカットネックカバーを提供する。【解決手段】柔軟な遮光布２上部にベルト状の芯を内蔵させ、遊び空間７をおいて通気性の良いメッシュ状の芯４を取りつけたもので、メッシュ状の芯４は、中央Ａ−Ａをやや高くし、フェイスラインに添わせるもので、遮光布２は吸湿布かつ紫外線をカットするものが好ましい。また、背面着脱結合部分には、布ファスナー３を使用する事が好ましい。【選択図】図２
0003159721.tif 000002
【実用新案登録請求の範囲】
【請求項１】
ＵＶカットネックカバーにおいて、ネックカバー主体は柔軟な遮光布を使用し、着脱による結合部分を背面に設置し、外部分に布ファスナーを取りつけるとともに、中央やや下部にメッシュ状の芯を取りつけ、上部にベルト状の芯を内蔵させた事を特徴とするＵＶカットネックカバー。
【請求項２】
遮光布が吸湿性布からなる事を特徴とする請求項１に記載のＵＶカットネックカバー。
【請求項３】
遮光布が紫外線をカットする布からなる事を特徴とする請求項１または２に記載のＵＶカットネックカバー。
【請求項４】
遮光布の裏面下部に取りつけた通気性の良いメッシュ状の芯が上部ベルト状の芯との間に「遊び空間」を有して、中央部分をやや高くし、フェイスラインに添った形状である事を特徴とする請求項１〜３いずれかに記載のＵＶカットネックカバー。
【考案の詳細な説明】
【技術分野】
【０００１】本考案は、首を紫外線から守る事により首の老化を防ぎ、美しさを保つＵＶカットネックカバーに関するものである。
【背景技術】
【０００２】従来、首を紫外線から守るために通常、タオル又はタオル状の日除けを巻いていた。例えば特許文献１がある。
【先行技術文献】
【特許文献】
【０００３】
【特許文献１】実用新案登録第３０７７１２４号公報
【考案の概要】
【考案が解決しようとする課題】
【０００４】しかし、上記の如くタオル状の日除けを巻くだけでは、一時的に紫外線は防ぐ事ができるが、巻くという事は重なる部分が前に位置する事もあり、ずり落ちてくるという欠点があったので、本考案は、上記の欠点をなくし、ずり落ちを防止し、効率良く窮屈でもなく高さを自在にする事ができ、首を紫外線から守ることを目的として完成されたものである。
【課題を解決するための手段】
【０００５】本考案は、着脱による結合分部を背面に設置し、中央やや下部にメッシュ状の芯を取りつけ、上部にベルト状の芯を包み込み、上記着脱結合部には布ファスナーを使用する事を待徴とするものである。【０００６】前記ＵＶカットネックカバーは、遮光布主体が吸湿性布からなる事が好ましく、これを請求項２に係る考案とする。【０００７】また、前記吸湿性布が紫外線をカットする布からなる事が好ましく、請求項３に係る考案とする。【０００８】また、上記メッシュ状の芯は、中央やや下部に位置させるが、上部ベルト状の芯との間には、「遊び空間」を設け、中央部分をやや高くし、フェイスラインに添った形状である事を請求項４に係る考案とする。
【考案の効果】
【０００９】本考案は、着脱による結合部分を背面に設置させ、上部にベルト状の芯を包み込み、「遊び空間」をおいて、中央やや下部にメッシュ状の芯を取りつける事により、窮屈でもなく高さを自在にする事ができ、また、メッシュ状の芯にする事により通気性もよく、また前部中央のメッシュ状の芯をやや高くし、フェイスラインに合わせる事により、良い姿勢を保つ事にも役立ち、また、着脱の結合に布ファスナーを使用する事により、個人差にも対応する事ができ、首の老化を防ぎ美しく保つ事ができるよう上記欠点を解決し、さらに効率よく紫外線から首を守り、軽量かつ容易に製造ができ実用性に優れたものである。
【図面の簡単な説明】
【００１０】
【図１】本考案ネックカバーの形態を示す正面図である。
【図２】本考案ネックカバーの形態を示す背面図である。
【図３】図１の矢視Ａ−Ａの断面図である。
【図４】図２の矢視Ｂ−Ｂの断面図である。
【図５】本考案ネックカバーの使用状態を示す正面図である。
【図６】本考案ネックカバーの使用状態を示す左側面図である。
【図７】本考案ネックカバーの使用状態を示す背面図である。
【考案を実施するための形態】
【００１１】以下に図面を参照しつつ本考案の好ましい実施の形態を示す。
図１は本考案ネックカバーの形態を示す正面図、図２は本考案を背面から見た図、図３は図１のＡ−Ａの断面図、図４は図２のＢ−Ｂの断面図、図５〜図７は、使用状態を示すもので図５は正面図、図６は左側面図、図７は背面図である。
図１において１はネックカバーであり、２は遮光布、一般的に使用される綿、ナイロン、ポリエステル等の一種、または混紡の繊維からなる編布、織布、不織布等の柔軟な材質からなるものである。また、３は遮光布上部の両端に取りつけたナイロン等からなる布ファスナー、４はナイロン、綿、ポリエステル等の一種、または混紡からなるメッシュ状の芯、５は遮光布本体の上部に包み込まれた綿、ナイロン、ポリエステル等の一種、または混紡の繊稚からなるベルト状の芯で、６は縫合、そして７は、遊び空間である。以下さらに図に従って本考案ＵＶカットネックカバーを説明する。
【００１２】上記の構成において図１は、本考案ＵＶカットネックカバーの表側であり図において遮光布（２）は横長で、下部は中央Ａ−Ａを山に湾曲した形で右端上部には、ベルト状の芯（５）巾位の布ファスナー（３）を取りつけたもので、遮光布（２）と布ファスナー（３）の結合は縫合（６）接着剤いずれでもよい。布ファスナー（３）を使用する事により首まわりの個人差に対応できる。
【００１３】また、図２に示す如く上部にベルト状の芯（５）を包み込み縫合（６）し、使用時に図１の布ファスナー（３）と密着するよう、もう片方にも布ファスナー（３）を結合させ、中央やや下部には上部ベルト状の芯（５）との間に「遊び空間（７）」をおいてメッシュ状の芯（４）を取りつけ、かつ中央（Ａ−Ａ）をやや高くし、フェイスラインに添わせ、遮光布（２）の端部分は縫合（６）とし、メッシュ状の芯（４）は縫合（６）接着剤による接合等いずれでもよい。中央（Ａ−Ａ）のメッシュ状の芯（４）を高くする事により、更にずり落ちを防止し、かつ遊び空間（７）を設ける事により首の長さの個人差に対応できる。
【００１４】さらに、図３において遮光布（２）は上部にベルト状の芯（５）を包み込んで縫合（６）し、遊び空間（７）をおいてメッシュ状の芯（４）を取りつけ下部は縫合（６）したものである。
【００１５】さらに、図４において遮光布（２）は、上部にベルト状の芯（５）を包み込んで縫合（６）したその上に、布ファスナー（３）を結合させ遊び空間（７）をおいてメッシュ状の芯（４）を取りつけるが、このメッシュ状の芯（４）の高さは、中央（Ａ−Ａ）のものより低いものとし、下部は縫合（６）している。
【００１６】さらに、図５〜図７は使用状態を示す図であり、遮光布（２）のＡ−Ａを正面中央とし、背面に向かって巻き、布ファスナー（３）で背面にて結合させて使用する。なお、正面中央Ａ−Ａの高さについては、遊び空間（７）を利用して調節する事ができる。
【符号の説明】
【００１７】  １  ネックカバー
２  遮光布
３  布ファスナー
４  メッシュ状の芯
５  ベルト状の芯
６  縫合
７  遊び空間
【図１】
0003159721.tif 000003
【図２】
0003159721.tif 000004
【図３】
0003159721.tif 000005
【図４】
0003159721.tif 000006
【図５】
0003159721.tif 000007
【図６】
0003159721.tif 000008
【図７】
0003159721.tif 000009